(57)【要約】      （修正有）【課題】  宅地造成の境界壁工事、道路の路肩工事等の擁壁構築工事の際に、使用する擁壁用コンクリートブロックの基礎部材に関し、この基礎部材の上に載置する擁壁用コンクリートブロックは、微調整だけで据付け位置が容易に決められ、強固に固定できる基礎部材を提供する。【解決手段】  断面略台形に構成した基礎部材本体の長手方向の両端面に、隣接の基礎部材本体と連結する連結凹凸構造を設け、上面に、据付ける擁壁用コンクリートブロック１５の垂直壁底面１７を連結固定する長手状連結突起を設けたものである。【選択図】図１
2007170151.tif 000002
【特許請求の範囲】
【請求項１】
断面略台形に構成した基礎部材本体の長手方向の両端面に、隣接の基礎部材本体と連結する連結凹凸構造を設け、上面に、据付ける擁壁用コンクリートブロックの垂直壁底面を連結固定する連結凸凹構造を設けた事を特徴とする擁壁用コンクリートブロックのコンクリート基礎部材。
【請求項２】
基礎部材本体の長手方向の一端面に、連結突起や幅方向の横状連結突起条等の突起部を設けると共に、他端面に、連結突起の嵌入する連結穴や横状連結突起条を嵌入する幅方向の横状連結溝等の連結凹部を設けた事を特徴とする請求項１に記載の擁壁用コンクリートブロックのコンクリート基礎部材。
【請求項３】
基礎部材本体の長手方向の両端面に、高さ方向のコンクリート充填用縦状凹部や鉄棒挿嵌孔等のコンクリート充填や連結鉄棒挿入の連結凹部を設けた事を特徴とする請求項１に記載の擁壁用コンクリートブロックのコンクリート基礎部材。
【請求項４】
基礎部材本体の上面側の長手方向に、複数の嵌合突起、長手状連結突起等の突起や、長手状連結凹溝、コンクリート充填用又は嵌合用の複数の上面穴、コンクリート充填用貫通孔等の連結凹孔穴部を設けた事を特徴とする請求項１に記載の擁壁用コンクリートブロックのコンクリート基礎部材。
【請求項５】
基礎部材本体の上面を、凹凸なしの平坦状や、多数の細かい突起や凸条を設けた粗面状の平面に形成した事を特徴とする請求項１に記載の擁壁用コンクリートブロックのコンクリート基礎部材。
【請求項６】
基礎部材本体の上面に、擁壁用コンクリートブロックを据付ける前縁側を低く構成した二段状の段差を設けた事を特徴とする請求項１に記載の擁壁用コンクリートブロックのコンクリート基礎部材。
【発明の詳細な説明】
【技術分野】
【０００１】  本発明は、宅地造成の境界壁や道路の路肩等の擁壁構築工事の際に、擁壁用コンクリートブロック（以下、擁壁用ブロックという）の据付け基礎部材として使用するコンクリート基礎部材（以下、基礎部材という）に関する。
【背景技術】
【０００２】  従来の擁壁用ブロックは、縦断面形状で区分すると、直角Ｌ型又は鈍角１０５度Ｌ型がある。これら擁壁用ブロックを使用して擁壁を構築する場合は、図５１及び図５２に示す通り  基礎として砕石、玉石等２１を敷き水平面の基礎コンクリート２０を造成し、その上に成形されたコンクリート基礎部材１を順次敷設し、このコンクリート基礎部材１の上に擁壁用ブロックを順次載置して固定するという施工法であった。施工後はコンクリート基礎部材及び擁壁用ブロックの根底部分を地表面下に埋め込んでいた。【０００３】  この場合、Ｌ型の擁壁用ブロックは、通常のものでも、重量１トン、高さ２ｍもあるので、正規位置に据え付ける作業は能率がよくないので、軽量、小形で作業性のよい基礎部材を水平状に敷設して基礎面を造成する事が行われているが、この基礎部材の据え付け状態が正確でなければ、擁壁用ブロックを安定させて定位置に正確に据え付け、堅固な擁壁を構築する事はできない。【０００４】  擁壁用ブロックは、滑動、傾倒、沈降、等の現象を軽減、防止する為に、断面形状を直角Ｌ型から鈍角１０５度Ｌ型に改良されたが、直角Ｌ型は底板全体が水平面状であるから基礎コンクリートに安定据え付けしやすいが、鈍角１０５度Ｌ型は底板が水平より１５度傾斜しているので、通常は図１及び図５２に例示する通り、底板部１８の連結位置は垂直壁板部１６の垂直壁底面１７よりも高いので、施工の際、底板部１８の連結部の下部隅部分にコンクリートを打ち込ちこんで、底板部１８の下部を安定据え付けする事は困難であった。この為、図１及び図５２に例示する通り、鈍角１０５度Ｌ型の擁壁用ブロックにおいては底板部１８にコンクリート充填用の貫通孔を設ける事が普及し、基礎部材も断面四角形状から、底板部１８の連結部分の下側にコンクリートを充填しやすい断面理略台形五角形の略台形に改良された。
【発明の開示】
【発明が解決しようとする課題】
【０００５】  擁壁用ブロックを使用する擁壁構築の施工には、基礎部材を使用する事は不可欠であるが、従来の基礎部材は、単純形状の断面四角形又は略台形五角形であるので、コンクリート基礎面への固定、両側の隣接する基礎部材との連結、固定、載置する擁壁用ブロクとの連結、固定を意図した構造及び形状でなく、単なる据付け台であった。【０００６】  擁壁用ブロックを使用して堅固な擁壁を構築する為には、施工時に擁壁用ブロックの前後、左右、上下の各方向を順次、位置調整して整合させて滑動、傾倒、沈降、転倒の移動を防止する事が必要であり、この為には先ず基礎部材を隣接の基礎部材と全方向整合させて据え付け固定する事が重要であるが、従来の基礎部材は、単なる据付け台であるので、全方向を整合させて据付け、堅固に固定させる事ができるものではなく、基礎部材に要求される効果を有するものではなかった。【０００７】  基礎部材に要求される要件は、▲１▼基礎コンクリート、砕石、玉石などの基礎面への固定、▲２▼隣接する基礎部材との連結、固定、▲３▼載置した擁壁用ブロックとの連結、固定、等に対して有効な構造、形状である。本発明による基礎部材は、基礎部材に要求される上記▲１▼〜▲３▼の要件を充足する条件を具備する構造、形状であり、結果として、上面に載置した擁壁ブロックの滑動、傾倒、沈降、転倒等の移動を防止する為の有効な基礎部材である。
【課題を解決するための手段】
【０００８】  本発明に係る基礎部材は、従来の基礎部材に無かった基礎部材としての要件である滑動、傾倒、沈降、転倒等の現象を軽減し防止するものであり、▲１▼コンクリート基礎面への据付けと固定、▲２▼隣接する両側の基礎部材との連結と固定、▲３▼載置する擁壁用ブロックとの連結と固定の条件を備えた構造及び形状の基礎部材である。【０００９】  本発明の基礎部材の固定手段は、添付図面の符号を併記すれば次の通りである。▲１▼コンクリート基礎１９面との据付けと固定については、コンクリートによる基礎コンクリート１９と連結、上面側斜面のコンクリート充填用貫通孔９により行う。▲２▼隣接する両側の基礎部材１との連結と固定については、長手方向の側面に設けた連結突起２と連結孔３、横状連結突起条４と横状連結溝５、両側面のコンクリート充填用縦状凹部６、連結用の鉄棒挿嵌孔７により行う。▲３▼据付ける擁壁用ブロック１４との連結と固定については、擁壁用ブロックの垂直壁底面に設けた突起や突起条や凹溝に嵌合させる為に、上面に設けた嵌合突起１４、長手状連結突起１０、長手状連結凹溝１１や、コンクリート充填用又は嵌合用の上面穴８などの他、上面を粗面状面１２’、又は段差１３に形成する事により行う。特に、上記▲１▼▲２▼▲３▼の手段の各手段を適宜組合わせた構造、形状に成形する事により、堅固な擁壁を構築する事を可能にし、擁壁構築の施工能率を向上する実効がある。
【発明の効果】
【００１０】  本発明は、擁壁用ブロックを使用して擁壁工事を施工する際、その基礎として使用する基礎部材であり、堅固な擁壁を構築する為、擁壁ブロックの据付け位置を整合させ、強固に固定する時、重量、寸法の大なる擁壁用ブロックよりも、軽量、小型で取扱いしやすく施工が容易な基礎部材を操作して、先ずは重要な基礎部材の据付けの位置、状態を正確に整合させて水平状に強固に固定する。【００１１】  本発明に係る基礎部材は、軽量、小型で取扱いやすいだけでなく、基礎面への据付け、固定、隣接する基礎部材との連結、相互固定、の為の構造及び形状に構成されているので、定位置での相互連結や固定の作業が容易であり、この正確に据付けられた基礎部材の上に擁壁用ブロックを載置し、重量、寸法の大きい擁壁用ブロックを大きく移動操作する事なく、微調整だけで、簡単に擁壁用ブロックを基礎部材や隣接の擁壁用ブロックと正確に整合、連結させて固定する事が可能となり、重量、寸法の大きい擁壁用ブロックの据付け作業が短縮され、擁壁用ブロック構築の施工能率が大幅に向上する。
【発明を実施するための最良の形態】
【００１２】  以下、添付図面の図２から図４２までに示す各実施例について説明する。図中、図２から図１２までは、本発明の基本的構造、形状を示し、その内、図２から図５までは主として隣接の基礎部材本体との連結を対象とした実施例であり、図７は主として基礎部材本体自体の固定を対象とした実施例であり、図６、図８から図１２は主として載置する擁壁ブロックとの連結を対象にした実施例である。図１３から図４２は基本的構造、形状を組合わせた構造、形状を示す。説明中の、断面略台形とは、長手状に構成される基礎部材の太さ方向断面形状を表し、図示の通り、３直角と２鈍角で構成される変形五角形や変形台形をいう。
【実施例１】
【００１３】  ［図２］は、断面略台形に構成した（以下、断面略台形を省略する）基礎部材本体１の長手方向の一端面に、連結突起２を設けると共に、他端面に連結穴３を設けた実施例であり、両端の連結突起２と連結穴３が、それぞれ隣接する基礎部材本体１の連結穴３、連結突起２と嵌合する事により、基礎部材本体１の前後、上下方向の移動を防止した状態で連結し固定できる。
【実施例２】
【００１４】  ［図３］は、基礎部材本体１の長手方向の一端面に、横状連結突起条４を設けると共に、他端面に横状連結溝５を設けた実施例であり、それぞれ隣接する基礎部材の横状連結溝５、横状連結突起条４と嵌合する事により、基礎部材本体１の上下方向移動を防止した状態で連結し固定できる。
【実施例３】
【００１５】  ［図４］は、基礎部材本体１の長手方向の両端面に、高さ方向のコンクリート充填用縦状凹部６を設けた実施例であり、隣接し対向する基礎部材のコンクリート充填用縦状凹部６とで形成される穴部にコンクリートを充填する事により、基礎部材本体１の前後、左右、上下方向移動を防止した状態で連結し固定できる。
【実施例４】
【００１６】  ［図５］は、基礎部材本体１の長手方向の両端面に、連結用鉄棒を挿入する鉄棒挿嵌孔７を設けた実施例であり、基礎部材１を成形する型枠が簡単となり、鉄棒挿嵌孔７に連結用鉄棒を挿嵌する事に基礎部材本体１の前後、上下方向の移動を防止した状態で連結し固定できる。
【実施例５】
【００１７】  ［図６］は、基礎部材本体１の水平上面に複数のコンクリート充填用又は嵌合用の上面穴８を設けた実施例であり、この上面穴８に、擁壁用ブロックの垂直壁底面１７に突設した連結突起を嵌合したり、又はコンクリートを充填して擁壁用ブロックを据付ける事により、擁壁用ブロックの垂直壁底面１７を強固に固定する事ができる。
【実施例６】
【００１８】  ［図７］は、基礎部材本体１の上面側斜面に複数のコンクリート充填用貫通孔９を設けた実施例であり、このコンクリート充填用貫通孔９からコンクリートを充填する事により、基礎部材本体１を基礎コンクリート２０に強固に固定する事ができる。
【実施例７】
【００１９】  ［図８］は、基礎部材本体１の上面に複数の嵌合突起１４を設けた実施例であり、この場合は、据付ける擁壁用ブロックの垂直壁底面１７に嵌合穴を設ける事が必要となるが、据付ける擁壁用ブロックの据付け位置決めが容易となり、前後、左右方向が強固に固定される。
【実施例８】
【００２０】  ［図９］は、基礎部材本体１の上面の長手方向に長手状連結突起１０を設けた実施例であり、この場合も図８に示す実施例と同様に、据付ける擁壁用ブロックの垂直壁底面１７に、連結溝を設ける事が必要となるが、載置する擁壁用ブロックの据付け位置決めや固定が容易となる。、
【実施例９】
【００２１】  ［図１０］は、基礎部材本体１の上面の長手方向に長手状連結凹溝１１を設けた実施例であり、この場合も図８に示す実施例と同様に、据付ける擁壁用ブロックの垂直壁底面１７に連結突起を設ける事が必要となるが、据付ける擁壁用ブロックの据付け位置決めや固定が容易となる。
【実施例１０】
【００２２】  ［図１１］は、基礎部材本体１の上面を、平坦面１２又は粗面状面１２’に形成する実施例の内、粗面状面１２’に形成した実施例であり、上面を粗面状に形成する事により、平滑面に比べて、据付けた擁壁用ブロックの滑動を軽減し、コンクリートで固定する際に固定を容易にする事ができる。
【実施例１１】
【００２３】  ［図１２］は、基礎部材本体１の上面に二段状の段差１３を設けた実施例であり、擁壁用ブロックの定位置への据付けが容易となり、載置後の擁壁用ブロックの後方移動が的確に防止できる。
【実施例１２】
【００２４】  ［図１３］は、基礎部材本体１の上面に複数の嵌合突起１４を設け、長手方向の一端面に連結突起２、他端面に連結穴３を設けた実施例であり、据付ける擁壁用ブロックの据付け位置決めが容易となり、又、両端の連結突起２と連結穴３がそれぞれ隣接の基礎部材本体１の連結穴３、連結突起２に嵌合する事により、基礎部材の前後、左右、上下方向の移動を防止した状態で連結し強固に固定できる。
【実施例１３】
【００２５】  ［図１４］は、基礎部材本体１の上面の長手方向に長手状連結突起１０を設け、長手方向の一端面に連結突起２、他端面に連結穴３を設けた組合わせ実施例であり、長手状連結突起１０及び連結突起２、連結穴３は、前述の通りそれぞれ作用し、相乗効果を挙げる。
【実施例１４】
【００２６】  ［図１５］は、基礎部材本体１の上面の長手方向に長手状連結凹溝１１を設け、長手方向の一端面に連結突起２、他端面に連結穴３を設けた組合わせ実施例であり、長手状連結凹溝１１及び連結突起２、連結穴３は、前述の通りそれぞれ作用し、相乗効果を挙げる。
【実施例１５】
【００２７】  ［図１６］は、基礎部材本体１の上面を、平坦面１２又は粗面状面１２’の内、粗面状面１２’に形成し、長手方向の一端面に連結突起２、他端面に連結孔３を設けた組合わせ実施例であり、平面、粗面状平面１２及び連結突起２、連結穴３は、前述の通りそれぞれ作用し、相乗効果を挙げる。
【実施例１６】
【００２８】  ［図１７］は、基礎部材本体１の上面に二段状の段差１３を設け、長手方向の一端面に連結突起２、他端面に連結孔３を設けた組合わせ実施例であり、段差１３及び連結突起２、連結穴３は、前述の通りそれぞれ作用し、相乗効果を挙げる。
【実施例１７】
【００２９】  ［図１８］は、基礎部材本体１の上面に複数の嵌合突起１４を設け、長手方向の一端面に横状連結突起条４、他端面に横状連結溝５を設けた実施例であり、上面の嵌合突起１４及び側面の横状連結突起条４、横状連結溝５は、前述の通りそれぞれ作用し、相乗効果を挙げる。
【実施例１８】
【００３０】  ［図１９］は、基礎部材本体１の上面の長手方向に長手状連結突起１０を設け、長手方向の一端面に横状連結突起条４、他端面に横状連結溝５を設けた組合わせ実施例であり、長手状突起１０及び横状連結突起条４、横状連結溝５は、前述の通りそれぞれ作用し、相乗効果を挙げる。
【実施例１９】
【００３１】  ［図２０］は、基礎部材本体１の上面の長手方向に長手状連結凹溝１１を設け、長手方向の一端面に横状連結突起条４、他端面に横状連結溝５を設けた組合わせ実施例であり、長手状連結凹溝１１及び横状突起条４、横状連結溝５は、前述の通りそれぞれ作用し、相乗効果を挙げる。
【実施例２０】
【００３２】  ［図２１］は、基礎部材本体１の上面を、平坦面１２又は粗面状面１２’の内、粗面状面１２’に形成し、長手方向の一端面に横状連結突起条４、他端面に横状連結溝５を設けた組合わせ実施例であり、平面、粗面状平面１２、横状連結突起条４、横状連結溝５は、前述の通りそれぞれ作用し、相乗効果を挙げる。
【実施例２１】
【００３３】  ［図２２］は、基礎部材本体１の上面に二段状の段差１３を設け、長手方向の一端面に横状連結突起条４、他端面に横状連結溝５を設けた組合わせ実施例であり、段差１３及び横状連結突起条４、横状連結溝５は、前述の通りそれぞれ作用し、相乗効果を挙げる。
【実施例２２】
【００３４】  ［図２３］は、基礎部材本体１の上面に複数の嵌合突起１４を設け、長手方向の両端面に高さ方向のコンクリート充填用縦状凹部６を設けた実施例であり、嵌合突起１４及びコンクリート充填用縦状凹部６は、前述の通りそれぞれ作用し、相乗効果を挙げる。
【実施例２３】
【００３５】  ［図２４］は、基礎部材本体１の上面の長手方向に長手状連結突起１０を設け、長手方向の両端面に高さ方向のコンクリート充填用縦状凹部６を設けた組合わせ実施例であり、長手情連結突起１０及びコンクリート充填用縦状凹部６は、前述の通りそれぞれ作用し、相乗効果を挙げる。
【実施例２４】
【００３６】  ［図２５］は、基礎部材本体１の上面の長手方向に長手状連結凹溝１１を設け、長手方向の両端面に高さ方向のコンクリート充填用縦状凹部６を設けた組合わせ実施例であり、長手状連結凹溝１１及びコンクリート充填用縦状凹部６は、前述の通りそれぞれ作用し、相乗効果を挙げる。
【実施例２５】
【００３７】  ［図２６］は、基礎部材本体１の上面を、平坦面１２又は粗面状面１２’の内、粗面状面１２’に形成し、長手方向の両端面に高さ方向のコンクリート充填用縦状凹部６を設けた組合わせ実施例であり、平面、粗面状平面１２、コンクリート充填用縦状凹部６は、前述の通りそれぞれ作用し、相乗効果をあげる。
【実施例２６】
【００３８】  ［図２７］は、基礎部材本体１の上面に二段状の段差１３を設け、長手方向の両端面に高さ方向のコンクリート充填用縦状凹部６を設けた組合わせ実施例であり、段差１３及びコンクリート充填用縦状凹部６は、前述の通りそれぞれ作用し、相乗効果を挙げる。
【実施例２７】
【００３９】  ［図２８］は、基礎部材本体１の上面に複数の嵌合突起１４を設け、長手方向の両端面に連結用鉄棒を挿入する鉄棒挿嵌孔７を設けた実施例であり、嵌合突起１４及び鉄棒挿嵌孔７は、前述の通りそれぞれ作用し、相乗効果を挙げる。
【実施例２８】
【００４０】  ［図２９］は、基礎部材本体１の上面の長手方向に長手状連結突起１０を設け、長手方向の両端面に鉄棒挿嵌孔７を設けた組合わせ実施例であり、長手状連結突起１０及び鉄棒挿嵌孔７は、前述の通りそれぞれ作用し、相乗効果を挙げる。
【実施例２９】
【００４１】  ［図３０］は、基礎部材本体１の上面の長手方向に長手状連結凹溝１１を設け、長手方向の両端面に連結鉄棒を挿嵌する鉄棒挿嵌孔７を設けた組合わせ実施例であり、長手状連結凹溝１１及び鉄棒挿嵌孔７は、前述の通りそれぞれ作用し、相乗効果を挙げる。
【実施例３０】
【００４２】  ［図３１］は、基礎部材本体１の上面を平坦面１２又は粗面状面１２’の内、平坦面１２に形成し、長手方向の両端面に鉄棒挿嵌孔７を設けた組合わせ実施例であり、平坦面１２及び鉄棒挿嵌孔７は、前述の通りそれぞれ作用し、相乗効果を挙げる。
【実施例３１】
【００４３】  ［図３２］は、基礎部材本体１の上面に二段状の段差１３を設け、長手方向の両端面に鉄棒挿嵌孔７を設けた組合わせ実施例であり、段差１３及び鉄棒挿嵌孔７は、前述の通りそれぞれ作用し、相乗効果を挙げる。
【実施例３２】
【００４４】  ［図３３］は、基礎部材本体１の上面に複数の嵌合突起１４を設けると共に、上面にコンクリート充填用又は嵌合用の上面穴８を設けた実施例であり、嵌合突起１４及び上面穴８は、前述の通りそれぞれ作用し、相乗効果を挙げる。
【実施例３３】
【００４５】  ［図３４］は、基礎部材本体１の上面の長手方向に長手状連結突起１０を設けると共に、その上面に複数のコンクリート充填用又は嵌合用の上面穴８を設けた組合わせ実施例であり、長手状連結突起１０及び上面穴８は前述の通りそれぞれ作用し、相乗効果を挙げる。
【実施例３４】
【００４６】  ［図３５］は、基礎部材本体１の上面の長手方向に長手状連結凹溝１１を設けると共に、その上面に複数のコンクリート充填用又は嵌合用の上面穴８を設けた組合わせ実施例であり、長手状連結凹溝１１及び上面穴８は、前述の通りそれぞれ作用し、相乗効果を挙げる。
【実施例３５】
【００４７】  ［図３６］は、基礎部材本体１の上面を、平坦面１２又は粗面状面１２’の内、平坦面１２に形成し、その上面に複数のコンクリート充填用又は嵌合用の上面穴８を設けた組合わせ実施例であり、平坦面１２及び上面穴８は、前述の通りそれぞれ作用し、相乗効果を挙げる。
【実施例３６】
【００４８】  ［図３７］は、基礎部材本体１の上面に二段状の段差１３を設け、水平上面に複数のコンクリート充填用穴８を設けた組合わせ実施例であり、段差１３及びコンクリート充填穴８は、前述の通り、それぞれ作用し、相乗効果を挙げる。
【実施例３７】
【００４９】  ［図３８］は、基礎部材本体１の上面に複数の嵌合突起１４を設け、上面側斜面に複数のコンクリート充填用貫通孔９を設けた実施例であり、嵌合突起１４及びコンクリート充填用貫通孔９は、前述の通りそれぞれ作用し、相乗効果を挙げる。
【実施例３８】
【００５０】  ［図３９］は、基礎部材本体１の上面の長手方向に長手状連結突起１０を設け、上面側斜面に複数のコンクリート充填用貫通孔９を設けた組合わせ実施例であり、長手状連結突起１０及びコンクリート充填用貫通孔９は、前述の通りそれぞれ作用し、相乗効果を挙げる。
【実施例３９】
【００５１】  ［図４０］は、基礎部材本体１の上面の長手方向に長手状連結凹溝１１を設け、上面側斜面に複数のコンクリート充填用貫通孔９を設けた組合わせ実施例であり、長手状連結凹溝１１及びコンクリート充填用貫通孔９は、前述の通りそれぞれ作用し、相乗効果を挙げる。
【実施例４０】
【００５２】  ［図４１］は、基礎部材本体１の上面を、平坦面１２又は粗面状面１２’の内、平坦面１２に形成し、上面側斜面に複数のコンクリート充填用貫通孔９を設けた組合わせ実施例であり、コンクリート充填用貫通孔９は、前述の通りそれぞれ作用し相乗効果を挙げる。
【実施例４１】
【００５３】  ［図４２］は、基礎部材本体１の上面に二段状の段差１３を設け、上面側斜面に複数のコンクリート充填用貫通孔９を設けた組合わせ実施例であり、段差１３及びコンクリート充填用貫通孔９は、前述の通りそれぞれ作用し、相乗効果を挙げる。
【実施例４２】
【００５４】  ［図４３］は、基礎部材本体１の上面の長手方向に長手状連結突起１０を設けると共に、長手方向の一端面に横状連結突起条４、他端面に横状連結溝５を設け、長手方向の両端面に高さ方向のコンクリート充填用縦状凹部６を設けた三手段組合わせ実施例であり、長手状連結突起１０、横状連結突起条４と横状連結溝５、コンクリート充填用縦状凹部６は、前記の通りそれぞれ作用し、顕著な相乗効果を挙げる。
【実施例４３】
【００５５】  ［図４４］は、基礎部材本体１の上面の長手方向に長手状連結突起１０を設けると共に、長手方向の一端面に横状連結突起条４、他端面に横状連結溝５を設け、上面側斜面に複数のコンクリート充填用貫通孔９を設けた三手段組合わせ実施例であり、長手状連結突起１０及び横状連結突起条４と横状連結溝５、コンクリート充填用貫通孔９は、前記の通りそれぞれ作用し、顕著な相乗効果を挙げる。
【実施例４４】
【００５６】  ［図４５］は、基礎部材本体１の上面の長手方向に長手状連結突起条１０を設けると共に、長手方向の一端面に横状連結突起条４、他端面に横状連結溝５を設け、長手方向の両端面に高さ方向のコンクリート充填用縦状凹部６を設け、上面側斜面に複数のコンクリート充填用貫通孔９を設けた四手段組合わせ実施例であり、長手状連結突起１０及び横状連結突起条４と横状連結溝５、コンクリート充填用縦状凹部６は、前記の通りそれぞれ作用し、顕著な相乗効果を挙げる。
【実施例４５】
【００５７】  ［図４６］は、基礎部材本体１の上面の長手方向に長手状連結凹溝１１を設けると共に、長手方向の一端面に横状連結突起条４、他端面に横状連結溝５を設け、上面側斜面に複数のコンクリート充填用貫通孔９を設けた三手段組合わせ実施例であり、長手状連結凹溝１１及び横状連結突起条４と横状連結溝５、コンクリート充填用貫通孔９は、前記の通りそれぞれ作用し、顕著な相乗効果を挙げる。
【実施例４６】
【００５８】  ［図４７］は、基礎部材本体１の上面の長手方向に長手状連結凹溝１１を設けると共に、長手方向の一端面に横状連結突起条４、他端面に横状連結溝５を設け、長手方向の両端面に高さ方向のコンクリート充填用縦状凹部６を設け、上面側斜面に複数のコンクリート充填用貫通孔９を設けた四手段組合わせ実施例であり、長手状連結凹溝１１、横状連結突起条４と横状連結溝５、コンクリート充填用縦状凹部６は、前記の通りそれぞれ作用し、顕著な相乗効果を挙げる。
【実施例４７】
【００５９】  ［図４８］は、基礎部材本体１の上面を平坦面１２に形成すると共に、長手方向の一端面に横状連結突起条４、他端面に横状連結溝５を設け、上面側斜面に複数のコンクリート充填用貫通孔９を設けた三手段組合わせ実施例であり、平面、粗面状平面１２及び横状連結突起条４と横状連結溝５、コンクリート充填用貫通孔９は、前記の通りそれぞれ作用し、顕著な相乗効果を挙げる。
【実施例４８】
【００６０】  ［図４９］は、基礎部材本体１の上面を平坦面１２に形成し、長手方向の両端に高さ方向のコンクリート充填用縦状凹部６を設けると共に、上面に複数のコンクリート充填用の上面穴８を設け、上面側斜面に複数のコンクリート充填用貫通孔９を設けた四手段組合わせ実施例であり、コンクリート充填用縦状凹部６、コンクリート充填用孔８、コンクリート充填用貫通孔９は、前記の通りそれぞれ作用し、顕著な相乗効果を挙げる。
【実施例４９】
【００６１】  ［図５０］  基礎部材本体１の上面を平坦状１２に形成し、複数の嵌合突起１４を設けけると共に、長手方向の両端面に高さ方向のコンクリート充填用縦状凹部６を設け、上面側斜面に複数のコンクリート充填用貫通孔９を設けた実施例であり、嵌合突起１４及びコンクリート充填用縦状凹部６、コンクリート充填用貫通孔９は、前記の通りそれぞれ作用し、顕著な相乗効果を挙げる。
【図面の簡単な説明】
【００６２】
【図１】  本発明に係るコンクリート基礎部材を使用して、擁壁を構築する場合の施工例を示す概略構成図である。
【図２】  本発明に係るコンクリート基礎部材を示し長手方向の一端面に連結突起、する他端面に連結穴を設けた実施例の斜視図である。
【図３】  本発明に係るコンクリート基礎部材を示し、長手方向の一端面に横状連結突起条、他端面に横状連結溝を設けた実施例の斜視図である。
【図４】  本発明に係るコンクリート基礎部材を示し、長手方向の両端面に高さ方向のコンクリート充填用縦状凹部を設けた実施例の斜視図である。
【図５】  本発明に係るコンクリート基礎部材を示し、長手方向の両端面に鉄棒挿嵌孔を設けた実施例の斜視図である。
【図６】  本発明に係るコンクリート基礎部材を示し、水平上面に複数のコンクリート充填用穴を設けた実施例の斜視図である。
【図７】  本発明に係るコンクリート基礎部材を示し、上面側斜面に複数のコンクリート充填用貫通孔を設けた実施例の斜視図である。
【図８】  本発明に係るコンクリート基礎部材を示し、水平上面に複数の嵌合突起をを設けた実施例の斜視図である。
【図９】  本発明に係るコンクリート基礎部材を示し、上面の長手方向に、長手状連結突起を設けた実施例の斜視図である。
【図１０】  本発明に係るコンクリート基礎部材を示し、上面の長手方向に、長手状連結凹溝を設けた実施例の斜視図である。
【図１１】  本発明に係るコンクリート基礎部材を示し、上面を平坦面又は粗面状面に形成する内、粗面状面に形成した実施例の斜視図である。
【図１２】  本発明に係るコンクリート基礎部材を示し、上面に二段状の段差を設けた実施例の斜視図である。
【図１３】  本発明に係るコンクリート基礎部材を示し、水平上面に複数の嵌合突起を設け、長手方向の一端面に連結突起、他端面に連結穴を設けた実施例の斜視図である。
【図１４】  本発明に係るコンクリート基礎部材を示し、上面の長手方向に長手状連結突起を設け、長手方向の一端面に連結突起、他端面に連結穴を設けた実施例の斜視図である。
【図１５】  本発明に係るコンクリート基礎部材を示し、上面の長手方向に長手状連結凹溝を設け、長手方向の一端面に連結突起、他端面に連結穴を設けた実施例の斜視図である。
【図１６】  本発明に係るコンクリート基礎部材を示し、水平上面を粗面状面に形成し、長手方向の一端面に連結突起、他端面に連結穴を設けた実施例の斜視図である。
【図１７】  本発明に係るコンクリート基礎部材を示し、上面に二段状の段差を設け、長手方向の一端面に連結突起、他端面に連結穴を設けた実施例の斜視図である。
【図１８】  本発明に係るコンクリート基礎部材を示し、水平上面に複数の嵌合突起を設け、長手方向の一端面に横状突起条、他端面に横状連結溝を設けた実施例の斜視図である。
【図１９】  本発明に係るコンクリート基礎部材を示し、上面の長手方向に長手状連結突起を設け、長手方向の一端面に横状連結突起条、他端面に横状連結溝を設けた実施例の斜視図である。
【図２０】  本発明に係るコンクリート基礎部材を示し、上面の長手方向に長手状連結凹溝を設け、長手方向の一端面に横状連結突起条、他端面に横状連結溝を設けた実施例の斜視図である。
【図２１】  本発明に係るコンクリート基礎部材を示し、水平上面を粗面状面に形成し、長手方向の一端面に横状連結突起条、他端面に横状連結溝を設けた実施例の斜視図である。
【図２２】  本発明に係るコンクリート基礎部材を示し、上面に二段状の段差を設け、長手方向の一端面に横状連結突起条、他端面に横状連結溝を設けた実施例の斜視図である。
【図２３】  本発明に係るコンクリート基礎部材を示し、水平上面に複数の嵌合突起を設け、長手方向の両端面に高さ方向のコンクリート充填用縦状凹部を設けた実施例の斜視図である。
【図２４】  本発明に係るコンクリート基礎部材を示し、上面の長手方向に長手状連結突起を設け、長手方向の両端面に高さ方向のコンクリート充填用縦状凹部を設けた実施例の斜視図である。
【図２５】  本発明に係るコンクリート基礎部材を示し、上面の長手方向に長手状連結凹溝を設け、長手方向の両端面に高さ方向のコンクリート充填用縦状凹部を設けた実施例の斜視図である。
【図２６】  本発明に係るコンクリート基礎部材を示し、上面を粗面状平面に形成し、長手方向の両端面に高さ方向のコンクリート充填用縦状凹部を設けた実施例の斜視図である。
【図２７】  本発明に係るコンクリート基礎部材を示し、上面に二段状の段差を設け、長手方向の両端面に高さ方向のコンクリート充填用縦状凹部を設けた実施例の斜視図である。
【図２８】  本発明に係るコンクリート基礎部材を示し、水平上面に複数の嵌合突起を設け、長手方向の両端面に連結用鉄棒を挿入する鉄棒挿嵌穴を設けた実施例の斜視図である。
【図２９】  本発明に係るコンクリート基礎部材を示し、上面の長手方向に長手状連結突起を設け、長手方向の両端面に鉄棒挿嵌穴を設けた実施例の斜視図である。
【図３０】  本発明に係るコンクリート基礎部材を示し、上面の長手方向に長手状連結凹溝を設け、長手方向の両端面に連結鉄棒を挿嵌する鉄棒挿嵌孔を設けた実施例の斜視図である。
【図３１】  本発明に係るコンクリート基礎部材を示し、上面を粗面状平面に形成し、長手方向の両端面に鉄棒挿嵌孔を設けた実施例の斜視図である。
【図３２】  本発明に係るコンクリート基礎部材を示し、上面に二段状の段差を設け、長手方向の両端面に鉄棒挿嵌孔を設けた実施例の斜視図である。
【図３３】  本発明に係るコンクリート基礎部材を示し、水平上面に複数の嵌合突起を設け、その上面にコンクリート充填用の上面穴を設けた実施例の斜視図である。
【図３４】  本発明に係るコンクリート基礎部材を示し、上面の長手方向に長手状連結突起を設け、その上面に複数のコンクリート充填用の上面穴を設けた実施例の斜視図である。
【図３５】  本発明に係るコンクリート基礎部材を示し、上面の長手方向に長手状連結凹溝を設け、その上面に複数のコンクリート充填用の上面穴を設けた実施例の斜面図である。
【図３６】  本発明に係るコンクリート基礎部材を示し、上面を平坦面に形成し、その上面に複数のコンクリート充填用又は嵌合用の上面穴を設けた実施例の斜視図である。
【図３７】  本発明に係るコンクリート基礎部材を示し、上面に二段状の段差を設け、下段面に、複数のコンクリート充填用又は嵌合用の上面穴を設けた実施例の斜視図である。
【図３８】  本発明に係るコンクリート基礎部材を示し、水平上面に複数の嵌合突起を設け、上面側斜面に複数のコンクリート充填用貫通孔を設けた実施例の斜視図である。
【図３９】  本発明に係るコンクリート基礎部材を示し、上面の長手方向に長手状連結突起を設け、上面側斜面に複数のコンクリート充填用貫通孔を設けた実施例の斜視図である。
【図４０】  本発明に係るコンクリート基礎部材を示し、上面の長手方向に長手状連結凹溝を設け、上面側斜面に複数のコンクリート充填用貫通孔を設けた実施例の斜視図である。
【図４１】  本発明に係るコンクリート基礎部材を示し、上面を平坦面に形成し、上面側斜面に複数のコンクリート充填用貫通孔を設けた実施例の斜視図である。
【図４２】  本発明に係るコンクリート基礎部材を示し、上面に二段状の段差を設け、上面側斜面に複数のコンクリート充填用貫通孔を設けた実施例の斜視図である。
【図４３】  本発明に係るコンクリート基礎部材を示し、上面の長手方向に長手状連結突起を設けると共に、長手方向の一端面に横状連結突起条、他端面に横状連結溝を設け、長手方向の両端面に高さ方向のコンクリート充填用縦状凹部を設けた実施例の斜視図である。
【図４４】  本発明に係るコンクリート基礎部材を示し、上面の長手方向に長手状連結突起を設けると共に、長手方向の一端面に横状連結突起条、他端面に横状連結溝を設け、上面側斜面に複数のコンクリート充填用貫通孔を設けた実施例の斜視図である。
【図４５】  本発明に係るコンクリート基礎部材を示し、上面の長手方向に長手状連結突起条を設けると共に、長手方向の一端面に横状連結突起、他端面に横状連結溝を設け、長手方向の両端面に高さ方向のコンクリート充填用縦状凹部を設け、上面側斜面に複数のコンクリート充填用貫通孔を設けた実施例の斜視図である。
【図４６】  本発明に係るコンクリート基礎部材を示し、上面の長手方向に長手状連結凹溝を設けると共に、長手方向の一端面に横状連結突起条、他端面に横状連結溝を設け、上面側斜面に複数のコンクリート充填用貫通孔を設けた実施例の斜視図である。
【図４７】  本発明に係るコンクリート基礎部材を示し、上面の長手方向に長手状連結凹溝を設けると共に、長手方向の一端面に横状連結突起条、他端面に横状連結溝を設け、長手方向の両端面に高さ方向のコンクリート充填用縦状凹部を設け、上面側斜面に複数のコンクリート充填用貫通孔を設けた実施例の斜視図である。
【図４８】  本発明に係るコンクリート基礎部材の実施例を示し、上面を平坦面に形成すると共に、長手方向の一端面に横状連結突起条、他端面に横状連結溝を設け、上面側斜面に複数のコンクリート充填用貫通孔を設けた実施例の斜視図である。
【図４９】  本発明に係るコンクリート基礎部材の実施例を示し、上面を粗面状面に形成すると共に、長手方向の両端面に高さ方向のコンクリート充填用縦状凹部を設け、上面に複数のコンクリート充填用穴を設け、上面側斜面に複数のコンクリート充填用貫通孔を設けた実施例の斜視図である。
【図５０】  本発明に係るコンクリート基礎部材を示し、水平上面に複数の嵌合突起を設け、長手方向の両端面に高さ方向のコンクリート充填用縦状凹部を設けると共に、上面側斜面に複数のコンクリート充填用貫通孔を設けた実施例の斜視図である。
【図５１】  従来の直方体状コンクリート基礎部材を使用して擁壁を構築施工する場合の１例を示す概略構成図である。
【図５２】  従来の台形状コンクリート基礎部材を使用して擁壁を構築施工する場合の他の例を示す概略構成図である。
【符号の説明】
【００６３】１．  基礎部材本体
２．  連結突起
３．  連結穴
４．  横状連結突起条
５．  横状連結溝
６．  コンクリート充填用縦状凹部
７．  鉄棒挿嵌孔
８．  上面穴
９．  コンクリート充填用貫通孔
１０．長手状連結突起
１１．長手状連結凹溝
１２．平坦面
１２’．粗面状面
１３．段差
１４．嵌合突起
１５．擁壁用Ｌ型コンクリートブロック
１６．垂直壁部
１７．垂直壁底面
１８．底板部
１９．貫通孔
２０．基礎コンクリート
２１．玉石、採石等
【図１】
2007170151.tif 000003
【図２】
2007170151.tif 000004
【図３】
2007170151.tif 000005
【図４】
2007170151.tif 000006
【図５】
2007170151.tif 000007
【図６】
2007170151.tif 000008
【図７】
2007170151.tif 000009
【図８】
2007170151.tif 000010
【図９】
2007170151.tif 000011
【図１０】
2007170151.tif 000012
【図１１】
2007170151.tif 000013
【図１２】
2007170151.tif 000014
【図１３】
2007170151.tif 000015
【図１４】
2007170151.tif 000016
【図１５】
2007170151.tif 000017
【図１６】
2007170151.tif 000018
【図１７】
2007170151.tif 000019
【図１８】
2007170151.tif 000020
【図１９】
2007170151.tif 000021
【図２０】
2007170151.tif 000022
【図２１】
2007170151.tif 000023
【図２２】
2007170151.tif 000024
【図２３】
2007170151.tif 000025
【図２４】
2007170151.tif 000026
【図２５】
2007170151.tif 000027
【図２６】
2007170151.tif 000028
【図２７】
2007170151.tif 000029
【図２８】
2007170151.tif 000030
【図２９】
2007170151.tif 000031
【図３０】
2007170151.tif 000032
【図３１】
2007170151.tif 000033
【図３２】
2007170151.tif 000034
【図３３】
2007170151.tif 000035
【図３４】
2007170151.tif 000036
【図３５】
2007170151.tif 000037
【図３６】
2007170151.tif 000038
【図３７】
2007170151.tif 000039
【図３８】
2007170151.tif 000040
【図３９】
2007170151.tif 000041
【図４０】
2007170151.tif 000042
【図４１】
2007170151.tif 000043
【図４２】
2007170151.tif 000044
【図４３】
2007170151.tif 000045
【図４４】
2007170151.tif 000046
【図４５】
2007170151.tif 000047
【図４６】
2007170151.tif 000048
【図４７】
2007170151.tif 000049
【図４８】
2007170151.tif 000050
【図４９】
2007170151.tif 000051
【図５０】
2007170151.tif 000052
【図５１】
2007170151.tif 000053
【図５２】
2007170151.tif 000054